(57)【要約】【課題】整流板を分割することにより排気捕集率を向上し、さらに整流板の洗浄が行いやすくすること。【解決手段】  コンロ１０上に取り付けられ、コンロ１０上に開口された開口凹部３４に整流板４を有するフード部３と、上部に送風機２１を有するレンジフード１において、コンロ１０は第１コンロ１１と第２コンロ１２の２つのコンロを有すること、整流板４は第１整流板４１と第２整流板４２の２つの整流板を有すること、第１整流板４１は、第１コンロ１１上に位置すること、第２整流板４２は第２コンロ１２上に位置すること、第１整流板４１と第２整流板４２の間に隙間Ｘが形成されている。【選択図】図５
2012207876.tif 000002
【特許請求の範囲】
【請求項１】
第１コンロと第２コンロの上に取り付けられ、前記第１コンロ及び前記第２コンロ上に開口された開口部に整流板を有するフード部と、上部に吸引手段を有する浅型レンジフードにおいて、
前記整流板は第１整流板と第２整流板の２つの整流板を有すること、
前記第１整流板と前記第２整流板の間に隙間が形成されていること、
を特徴とする浅型レンジフード。
【請求項２】
請求項１に記載する浅型レンジフードにおいて、
前記隙間は、前記第１コンロと前記第２コンロを結ぶコンロ中心線と平行に位置すること、
を特徴とする浅型レンジフード。
【請求項３】
請求項１に記載する浅型レンジフードにおいて、
前記隙間は、前記第１コンロと前記第２コンロを結ぶコンロ中心線と直角に位置すること、
を特徴とする浅型レンジフード。
【請求項４】
請求項１乃至請求項３のいずれか一つに記載する浅型レンジフードにおいて、
前記第１コンロ及び前記第２コンロの調理排気の上昇気流が前記隙間から吸い込まれること、
を特徴とする浅型レンジフード。
【請求項５】
請求項１乃至請求項４のいずれか一つに記載する浅型レンジフードにおいて、
前記第１整流板と前記第２整流板は２つに完全分割していること、
を特徴とする浅型レンジフード。
【請求項６】
請求項１乃至請求項４のいずれか一つに記載する浅型レンジフードにおいて、
前記第１整流板と前記第２整流板は連結部により連結されていること、
を特徴とする浅型レンジフード。
【請求項７】
請求項１乃至請求項６のいずれか１つに記載する浅型レンジフードにおいて、
前記隙間は１ｃｍ〜５ｃｍであること、
を特徴とする浅型レンジフード。
【発明の詳細な説明】
【技術分野】
【０００１】
本発明は、第１コンロと第２コンロの上に取り付けられ、前記第１コンロ及び前記第２コンロ上に開口された開口部に整流板を有するフード部と、上部に吸引手段を有する浅型レンジフードに関する。
【背景技術】
【０００２】
従来、広く普及しているレンジフードには整流板が取り付けられている。整流板は、レンジフードの開口部に取り付けられており、気体を吸引する吸い込み風速を上げるために固定されている。具体的には、コンロ等の熱源から発生する調理排気の上昇気流をコンロ上部に取り付けられた整流板に当て、レンジフードの開口部と整流板の間の吸い込み風速を上げることで、調理排気を吸い込んでいた。
【先行技術文献】
【特許文献】
【０００３】
【特許文献１】特開２００８−２５６３０６号公報
【発明の概要】
【発明が解決しようとする課題】
【０００４】
しかしながら、従来のレンジフードには、以下のような問題点があった。
すなわち、コンロが２つ以上形成され、２つを同時に使用し調理排気の量が多い場合には、吸い込みきれない調理排気が排気漏れを起こし、排気捕集率が低下するため問題となる。特に、送風機の吸い込み口の直下に整流板が位置していたため排気の抵抗が大きくなり排気風量が低下していたことが問題であった。
また、排気捕集率が低下すると室内に漏れた匂いや排気を回収するまでレンジフードを運転し続けることとなるため電力量が増加するため問題となる。
また、昨今のレンジフードは、見た目の良い浅型のレンジフードが主流になってきている。また、排気捕集率を向上させるため、横幅の広いものが主流になってきている。しかし、横幅が広くなると開口部の大きさに合わせ整流板も大きくなる。整流板は取り外しシンク内で洗浄可能に形成されている。しかし、整流板が大きくなると、整流板がシンクの大きさを上回り、シンク内で洗浄しにくいため問題となる。
従来の特許文献１には、吸気口の開口面積が異なる複数のレンジフードに適用可能な分割された整流板が記載されているが、上記の排気捕集率及び洗浄の問題についてはなんら記載がないため、上記課題を解決するためのものではない。
【０００５】
そこで、本発明は、上記問題点を解決するためになされたものであり、整流板を分割することにより排気捕集率を向上し、さらに整流板の洗浄が行いやすくなる浅型レンジフードを提供することを目的とする。
【課題を解決するための手段】
【０００６】
上記目的を達成するために、本発明の一態様における浅型レンジフードは、以下の構成を有する。
（１）第１コンロと第２コンロの上に取り付けられ、前記第１コンロ及び前記第２コンロ上に開口された開口部に整流板を有するフード部と、上部に吸引手段を有する浅型レンジフードにおいて、前記整流板は第１整流板と第２整流板の２つの整流板を有すること、前記第１整流板と前記第２整流板の間に隙間が形成されていること、を特徴とする。
【０００７】
（２）（１）に記載する浅型レンジフードにおいて、前記隙間は、前記第１コンロと前記第２コンロを結ぶコンロ中心線と平行に位置すること、を特徴とする。
【０００８】
（３）（１）に記載する浅型レンジフードにおいて、前記隙間は、前記第１コンロと前記第２コンロを結ぶコンロ中心線と直角に位置すること、を特徴とする。
【０００９】
（４）（１）乃至（３）に記載する浅型レンジフードにおいて、前記第１コンロ及び前記第２コンロの調理排気の上昇気流が前記隙間から吸い込まれること、が好ましい。
（５）（１）乃至（４）に記載する浅型レンジフードにおいて、前記第１整流板と前記第２整流板は２つに完全分割していること、が好ましい。
【００１０】
（６）（１）乃至（４）に記載する浅型レンジフードにおいて、前記第１整流板と前記第２整流板は連結部により連結されていること、が好ましい。
（７）（１）乃至（６）のいずれか１つに記載する浅型レンジフードにおいて、前記隙間は１ｃｍ〜５ｃｍであること、が好ましい。
【発明の効果】
【００１１】
上記浅型レンジフードの作用及び効果について説明する。
（１）第１コンロと第２コンロの上に取り付けられ、前記第１コンロ及び前記第２コンロ上に開口された開口部に整流板を有するフード部と、上部に吸引手段を有する浅型レンジフードにおいて、前記整流板は第１整流板と第２整流板の２つの整流板を有すること、前記第１整流板と前記第２整流板の間に隙間が形成されていることにより、排気捕集率を向上させることができる。すなわち、最も上昇気流が強くなる第１コンロ及び第２コンロの直上部に第１整流板及び第２整流板をそれぞれ配置することにより、開口部と第１整流板及び第２整流板の間に形成された吸い込み口に集めることができる。そのため、排気捕集率を向上させることができる。
また、第１整流板と第２整流板の間に隙間が形成されることで、隙間の吸い込み風速を上げることができる。
また、隙間が形成されることで隙間の吸い込み口が従来と比較して増加するため、分散して効率よく調理排気を吸い込める。そのため、排気風量を低減しても排気捕集ができるため、騒音、電力量、空調負荷の低減を図ることができる。
また、送風機の吸い込み口の直下に隙間を形成することにより、送風機の排気抵抗を小さくし排気風量を大きくすることができる。排気風量を大きくすることにより排気捕集率が上がるため、調理後のレンジフードの運転時間を短くすることができる。それにより消費電力を少なくすることができる。
【００１２】
（２）（１）に記載する作用効果の他、隙間は、第１コンロと第２コンロを結ぶコンロ中心線と平行に位置することにより、特に排気捕集率を向上させることができる。すなわち、第１コンロ及び第２コンロを同時に使用している場合、上昇気流は、第１コンロ及び第２コンロを結ぶコンロ中心線の部分に集中する傾向がある。上昇気流は、整流板にぶつかり左右方向に分かれることによりコンロ中心線部分に集中するためである。そのため、上昇気流が集中する部分に第１整流板及び第２整流板の間に形成された吸い込み口があるため、集中する調理排気を排気することができる。
【００１３】
（３）（１）に記載する作用効果の他、隙間は、第１コンロと第２コンロを結ぶコンロ中心線と直角に位置することにより、特に排気捕集率を向上させることができる。すなわち、第１コンロ及び第２コンロを同時に使用している場合、上昇気流は、第１コンロ及び第２コンロを結ぶコンロ中心線と直角位置に集中する傾向がある。上昇気流は、整流板にぶつかり前後方向に分かれることによりコンロ中心線と直角位置に集中するためである。そのため、上昇気流が集中する部分に第１整流板及び第２整流板の間に形成された吸い込み口があるため、集中する調理排気を排気することができる。
【００１４】
（４）（１）乃至（３）に記載する作用効果の他、第１コンロ及び第２コンロの調理排気が集中する部分に第１整流板及び第２整流板の間に形成された隙間である吸い込み口が形成されるため、集中する調理排気を排気することができる。
【００１５】
（５）（１）乃至（３）に記載する作用効果の他、第１整流板と第２整流板は２つに完全分割していることにより、第１整流板と第２整流板の間に形成された隙間に吸い込み口の邪魔になる部分がない。そのため、隙間である吸い込み口に集中する排気を効率よく吸い込むことができる。
【００１６】
また、整流板を第１整流板及び第２整流板に完全に分割することにより、１つの整流板の大きさを小さくすることができる。そのため、整流板を取り外しシンク内で洗浄することが可能となる。さらに、第１整流板及び第２整流板の大きさを食器洗い乾燥機に入る大きさとすることで、食器洗い乾燥機で洗浄することが可能となる。
【００１７】
（６）（１）乃至（４）に記載する作用効果の他、第１整流板と第２整流板は連結部により連結されていることにより、第１整流板と第２整流板に位置を安定させることができる。
【００１８】
（７）（１）乃至（６）に記載する作用効果の他、隙間は１ｃｍ〜５ｃｍであることにより、隙間が形成されていない場合と比較して排気捕集率を約１．５％向上させることができる。排気捕集率が１．５％向上させることにより、排気時間が短くなる。
【図面の簡単な説明】
【００１９】
【図１】本発明の第１実施形態に係るレンジフードの構成正面図である。
【図２】本発明の第１実施形態に係るレンジフードの構成側面図である。
【図３】本発明の第１実施形態に図１のレンジフードのＡＡ断面図である。
【図４】本発明の第１実施形態に図１のレンジフードをＣ方向から見た概念図である。
【図５】本発明の第１実施形態に図２のレンジフードをＢ方向から見た下方概念図である。
【図６】本発明の第１実施形態に係る整流板の隙間の幅と捕集率の関係を表した図である。
【図７】本発明の変形例（１）に係る整流板の構成正面図である。
【図８】本発明の変形例（２）に係る整流板の構成正面図である。
【図９】本発明の変形例（３）に係る整流板の構成正面図である。
【図１０】本発明の変形例（３）に係る整流板の側面図である。
【図１１】本発明の変形例（４）に係る整流板の構成正面図である。
【図１２】本発明の変形例（５）に係る整流板の構成正面図である。
【図１３】本発明の変形例（５）に係るレンジフードの構成側面図である。
【発明を実施するための形態】
【００２０】
以下に、本発明に係るレンジフードの実施形態について、図面を参照して説明する。
【００２１】
（第１実施形態）
＜レンジフードの全体構成＞
レンジフード１の構成について説明する。図１に、レンジフード１の正面図を示す。図２に、レンジフード１の側面図を示す。図３に、図１のレンジフード１のＡＡ断面図を示す。
【００２２】
図２に示すように、レンジフード１は、壁面９に固定され、かつ、熱源を有するコンロ１０の上部に取り付けられている。レンジフード１は送風機ボックス２とフード部３を有する。
コンロ１０は、本実施形態においては一般的な家庭で多く使われている３つの熱源が三角形状に配置された形状である。具体的は、図１に示すように、使用者が立って作業する手前側に第１コンロ１１及び第２コンロ１２が配置され、図５に示すように、第１コンロ１１及び第２コンロ１２の中心部後方に第３コンロ１３が配置されている。３つの熱源を有するコンロ１０は、一般的に手前にある第１コンロ１１及び第２コンロ１２が頻繁に使用され、第３コンロ１３が使用される頻度は第１コンロ１１及び第２コンロ１２に比べて少ない。
【００２３】
図１及び図２に示すように、フード部３は、上面板３１と前面及び両側面の３面を構成する側面板３２と下面板３３により構成される略直方体形状の浅型レンジフードの形状である。図３に示すように、下面板３３の下面に開口した開口凹部３４と開口凹部３４の中心には送出口３５が形成されている。
開口凹部３４内に整流板４が取り付けられている。整流板４と開口凹部３４との間の隙間を調理排気が流通する。
【００２４】
図１及び図２に示すように、送風機ボックス２は箱状の外周箱２０により覆われている。
送風機ボックス２内には、送風機２１が取り付けられている。送風機２１には、気体の進入口２１１及び排出口２１２を有する。送風機２１を図示しない電動機で回転させることで、調理排気は進入口２１１から侵入し、排出口２１２から排出される。
【００２５】
＜整流板の構成＞
整流板４の構成について図を用いて説明する。図４に、図１に示すレンジフード１をＣ方向から見た上方概念図を示す。図５に、図２に示すレンジフード１をＢＢ断面方向から見た下方概念図を示す。図５では、整流板４の位置と第１コンロ１１乃至第３コンロ１３との位置関係が理解し易いように、第１コンロ１１乃至第３コンロ１３を点線で示した。
図４に示すように、整流板４は、第１整流板４１及び第２整流板４２に分割されている。第１整流板４１及び第２整流板４２は、長方形形状の薄鋼板であり、その表面上は塗装皮膜が形成されている。塗装皮膜により、油分を含んだ汚れが第１整流板４１及び第２整流板４２に付着した場合にも簡単にふき取ることができる。
【００２６】
図４に示すように、第１整流板４１及び第２整流板４２の間には所定の隙間Ｘ１が形成される。本実施形態においては、隙間Ｘ１を２ｃｍの幅とする。隙間Ｘ１が形成されることにより、第１整流板４１及び第２整流板４２の隙間Ｘ１を挿通する上昇気流の吸い込み速度を上げることができるため、排気捕集率を向上させることができる。
【００２７】
図５に示すように、第１整流板４１は第１コンロ１１上に配置され、第２整流板４２は第２コンロ１２上に配置されている。言い換えると、第１コンロ１１と第２コンロ１２を結ぶコンロ中心線と平行位置に第１整流板４１と第２整流板４２の間の隙間Ｘ１が位置する。また、第１整流板４１と第２整流板４２の間の隙間Ｘ１は、第３コンロ１３の中心を通るように形成されている。
第１コンロ１１上に第１整流板４１が形成されていることにより、第１コンロ１１から上昇した調理排気は第１整流板４１に当たり、隙間Ｘ１及び吸い込み口４０に吸い込まれる。第１整流板４１に当たった調理排気は、第１整流板４１から近く吸い込み風速の速い隙間Ｘ１及び吸い込み口４０から排気されるため排気捕集率が良くなる。
また、第２コンロ１２上に第２整流板４２が形成されていることにより、第２コンロ１２から上昇した調理排気は第２整流板４２に当たり、隙間Ｘ１及び吸い込み口４０に吸い込まれる。第２整流板４２に当たった調理排気は、第２整流板４２から近く吸い込み風速の速い隙間Ｘ１及び吸い込み口４０から排気されるため排気捕集率が良くなる。
【００２８】
＜レンジフードの作用効果＞
レンジフード１の作用効果について説明する。
図１に示す状態で、第１コンロ１１及び第２コンロ１２を点火する。第１コンロ１１及び第２コンロ１２からは、調理排気Ｐが発生する。調理排気Ｐの中でも特に流れが多い排気流Ｋ１〜Ｋ４、排気流Ｋ１１〜Ｋ１４について矢印で流れを示す。具体的には、排気流Ｋ２及びＫ３は、第１コンロ１１から直接上昇する調理排気であり、流れが多い。同じく、排気流Ｋ１２及びＫ１３は、第２コンロ１２から直接上昇する調理排気であり、流れが多い。
排気流Ｋ２及びＫ３は、整流板４１にぶつかり行き場を無くした排気流Ｋ２及びＫ３は、左右に分かれる。同様に排気流Ｋ１２及びＫ１３は、整流板４２にぶつかり行き場を無くした排気流Ｋ１２及びＫ１３は左右に分かれる。整流板４１及び４２にぶつかり中心方向に向かうのが排気流Ｋ３及びＫ１３である。調理排気Ｐのうち中心Ｐ１に対しては、流れの多い排気流Ｋ３及びＫ１３が集中する。そのため、中心Ｐ１には、調理排気が集中する。
なお、図２には示さないが、例えば整流板にぶつかった場合には前後方向への排気流も発生する。
【００２９】
本実施形態においては、調理排気が集中する中心Ｐ１に対応する部分に第１整流板４１及び第２整流板４２に形成された隙間Ｘ１が形成され、隙間Ｘ１から調理排気が吸い込まれる。集中した調理排気Ｐの排気流Ｋ３及びＫ１３を直接隙間Ｘ１により吸い込むことができるため排気捕集率を向上させることができる。また、送風機２１により隙間Ｘ１及び吸い込み口４０から直接調理排気Ｐは吸い込まれるため、排気流Ｋ１、Ｋ４、Ｋ１１、Ｋ１４の流れが多くなる。
なお、前後方向への排気流は直接吸い込み口４０へと吸い込まれる。
【００３０】
図６に、第１整流板４１及び第２整流板４２の間の隙間Ｘ１の幅と排気捕集率の関係をグラフで示す。縦軸は、排気された調理排気を１００％とした場合に、レンジフード１が調理排気を捕集した捕集率を示す。横軸は、第１整流板４１及び第２整流板４２の間の隙間Ｘ１の幅を示す。
【００３１】
図６に示すように、隙間Ｘ１が０ｃｍすなわち整流板が分割された状態にない場合の捕集率Ｑ０は８６．５％である。隙間Ｘ１が１ｃｍである場合の捕集率は８８％である。隙間Ｘ１が１．５ｃｍである場合の捕集率Ｑ１．５は８９％である。隙間Ｘ１が２ｃｍである場合の捕集率Ｑ２は９０％である。隙間Ｘ１が３ｃｍである場合の捕集率Ｑ３は８９％である。隙間Ｘ１が５ｃｍである場合の捕集率Ｑ５は８８％である。隙間Ｘ１が８ｃｍである場合の捕集率Ｑ８は８６．５％である。隙間Ｘ１が１０ｃｍである場合の捕集率Ｑ１０は８６％である。
以上の実験結果より、隙間Ｘ１が２ｃｍである場合の捕集率Ｑ２が最も捕集率が高いことが確認できた。一方、隙間Ｘ１が１０ｃｍとなり、隙間Ｘ１が大きくなりすぎると、捕集率Ｑ１０は８６％となり、隙間Ｘ１を設けない場合の捕集率Ｑ０と比較して捕集率が悪くなることが分かった。さらに、隙間Ｘ１が８ｃｍの場合の捕集率Ｑ８は８６．５％となり、隙間Ｘ１を設けない場合の捕集率Ｑ０と同じ捕集率であることが分かった。
【００３２】
したがって、整流板を分割し第１整流板４１及び第２整流板４２を有する場合には、第１整流板４１と第２整流板４２の隙間Ｘ１は１ｃｍ以上７ｃｍ以下とすることにより、１つの整流板を用いる場合よりも捕集率が高くなる。
また、隙間Ｘ１が１ｃｍ〜５ｃｍである場合には、捕集率が８８％以上であることが確認できた。隙間Ｘ１が１ｃｍ〜５ｃｍである場合は隙間が形成されていない場合と比較して排気捕集率を約１．５％向上させることができる。すなわち、隙間が１ｃｍ〜５ｃｍである場合が最も排気の吸い込み効率が良いことを本出願人は実験によって確認できる。
【００３３】
以上詳細に説明したように本実施形態によれば、以下の作用効果を有する。
第１整流板４１は、第１コンロ１１上に位置し、第２整流板４２は第２コンロ１２上に位置し、さらに、第１整流板４１と第２整流板４２の間に隙間Ｘ１が形成されていることにより、排気捕集率を向上させることができる。すなわち、図１に示すように最も調理排気の上昇気流が強くなる第１コンロ１１及び第２コンロ１２の直上部に第１整流板４１及び第２整流板４２をそれぞれ配置することにより、開口凹部３４と第１整流板４１及び第２整流板４２の間に形成された吸い込み口に集めることができる。そのため、排気捕集率を向上させることができる。
【００３４】
また、図１に示すように、第１コンロ１１及び第２コンロ１２を同時に使用している場合、上昇気流は、第１コンロ１１及び第２コンロ１２の間の中心Ｐ１に集中する傾向がある。そのため、上昇気流が集中する中心Ｐ１部分に第１整流板４１及び第２整流板４２の間に形成された隙間Ｘ１が吸い込み口となるため、集中する調理排気を排気することができる。
また、第１整流板４１と第２整流板４２の間に隙間Ｘ１が形成され隙間Ｘが２ｃｍとされることで、隙間Ｘ１の吸い込み風速を上げることができ、排気捕集率を向上させることができる。
送風機２１の進入口２１１の直下に隙間Ｘ１を形成することにより、送風機２１の排気抵抗を小さくし排気風量を大きくすることができる。排気風量を大きくすることにより排気収集率が上がるためレンジフード１の運転時間を短くすることができる。それにより消費電力を少なくすることができる。
【００３５】
また、隙間Ｘ１が形成されることで隙間Ｘ１の吸い込み口が従来と比較して増加するため、分散して効率よく調理排気を吸い込める。そのため、排気風量を低減しても排気捕集ができるため、騒音、電力量、空調負荷の低減を図ることができる。
また、第１整流板４１及び第２整流板４２に分割することにより、１つの整流板の大きさを小さくすることができる。そのため、第１整流板４１及び第２整流板４２を取外しシンク内で洗浄することが可能となる。さらに、第１整流板４１及び第２整流板４２の大きさを食器洗い乾燥機に入る大きさとすることで、食器洗い乾燥機で洗浄することが可能となる。
【００３６】
＜変形例１＞
図７に整流板の変形例１を示す。
図７に示す整流板６は、第１整流板６１及び第２整流板６２を有し、第１整流板６１及び第２整流板６２は、連結部６３により連結されている。第１整流板６１及び第２整流板６２は同じ長辺及び短辺を有する長方形形状の薄板である。また、第１整流板６１、第２整流板６２及び連結部６３により囲まれた部分には、長方形形状の隙間孔６４が形成されている。隙間孔６４は、整流板６に対して短手方向に長辺を有する長方形形状で成形されている。
第１整流板６１と第２整流板６２の間の隙間Ｘ２の距離は１ｃｍ〜５ｃｍとすることが好ましい。上記図６で示した隙間と排気捕集率との関係から、隙間Ｘ２の距離を１ｃｍ〜５ｃｍとした場合に排気捕集率が高くなるためである。
なお、整流板６以外の部分については説明を割愛したが、第１実施形態のレンジフードと同様の作用効果を有する。
【００３７】
＜変形例２＞
図８に整流板の変形例２を示す。
図８に示す整流板７は、第１整流板７１及び第２整流板７２を有し、第１整流板７１及び第２整流板７２は、連結部７３により連結されている。第１整流板７１及び第２整流板７２は同じ長辺及び短辺を有する長方形形状の薄板である。また、第１整流板７１、第２整流板７２及び連結部７３により囲まれた部分には、長方形形状の隙間孔７４が形成されている。隙間孔７４は、整流板７に対して長手方向に長辺を有する長方形形状で成形されている。
第１整流板７１と第２整流板７２の間の隙間Ｘ３の距離は１ｃｍ〜５ｃｍとすることが好ましい。上記図６で示した隙間と排気捕集率との関係から隙間Ｘ３の距離を１ｃｍ〜５ｃｍとした場合、排気捕集率が高くなるためである。
なお、整流板７以外の部分については説明を割愛したが、第１実施形態のレンジフードと同様の作用効果を有する。
【００３８】
＜変形例３＞
図９に整流板の変形例３を示す。図９は整流板８の正面図を示す。図１０は整流板８の側面図を示す。
図９に示す整流板８は、薄板長方形状の第１整流板８１、第２整流板８２及び第３整流板８３を有する。第１整流板８１及び第２整流板８２は同じ長辺及び短辺を有する長方形形状の薄板である。第３整流板８３は、第１整流板８１及び第２整流板８２と比較して長辺は同じだが、短辺が短い長方形形状の薄板である。
図１０に示すように、第１整流板８１と第２整流板８２の間の隙間Ｘ４の距離は５ｃｍである。さらに、第１整流板８１と第２整流板８２の軸方向に対して第３整流板８３が配置されている。第３整流板８３は、第１整流板８１と第２整流板８２との間の隙間Ｘ５の距離に１ｃｍ〜５ｃｍの隙間を設ける。第１整流板８１及び第２整流板８２との間の隙間Ｘ５に１ｃｍ〜５ｃｍの隙間を設けることにより、上記図６で示した排気捕集率を得ることができる。
なお、整流板８以外の部分については説明を割愛したが、第１実施形態のレンジフードと同様の作用効果を有する。
【００３９】
＜変形例４＞
図１１に整流板の変形例４を示す。
図１１に示す整流板９は、薄板長方形状の第１整流板９１、第２整流板９２及び第３整流板９３を有する。第１整流板９１、第２整流板９２及び第３整流板９３は同じ長辺及び短辺を有する長方形形状の薄板である。
第１整流板９１と第２整流板９２の間の隙間Ｘ６の距離は１ｃｍ〜５ｃｍである。また、第２整流板９２と第３整流板９３の間の隙間Ｘ６の距離は１ｃｍ〜５ｃｍである。隙間Ｘ６の距離を１ｃｍ〜５ｃｍ取ることにより、整流板を２以上に分割した場合であっても、吸い込みを良くすることができた。ただし、熱源が強い第１コンロ及び第２コンロの真上に第１整流板９１乃至第３整流板９３が位置しないため、排気集積率は第１実施形態と比較して若干悪くなる。
なお、整流板９以外の部分については説明を割愛したが、第１実施形態のレンジフードと同様の作用効果を有する。
【００４０】
＜変形例５＞
図１２に整流板の変形例５を示す。図１３に変形例（５）に係るレンジフードの構成側面図を示す。
図１２に示す整流板１００は、第１整流板１０１及び第２整流板１０２を有する。第１整流板１０１は、縦Ｄ１及び横Ｅ１からなる長方形形状の薄板である。また、第２整流板１０２は、縦Ｄ２及び横Ｅ１からなる長方形形状の薄板である。第１整流板１０１と第２整流板１０２は、横Ｅ１は共通するが、縦幅において縦Ｄ１は縦Ｄ２よりも２倍長い。そのため、第１整流板１０１は第２整流板１０２と比較して２倍面積が大きい。
第１整流板１０１と第２整流板１０２の間の隙間Ｘ７の距離は１ｃｍ〜５ｃｍとすることが好ましい。上記図６で示した隙間と排気捕集率との関係から隙間Ｘ７の距離を１ｃｍ〜５ｃｍとした場合に排気捕集率が高くなるためである。
第１整流板１０１と第２整流板１０２の間に形成される隙間Ｘ７は、第１コンロ１１と第２コンロ１２を結ぶコンロ中心線と直角に位置するように配置する。
【００４１】
図１３に示す状態で、第２コンロ１２及び第３コンロ１３を点火する。第２コンロ１２及び第３コンロ１３からは、調理排気Ｐが発生する。調理排気Ｐの中でも特に流れが多い排気流Ｋ２１〜Ｋ２４、排気流Ｋ３１〜Ｋ３４について矢印で流れを示す。具体的には、排気流Ｋ２２及びＫ２３は、第２コンロ１２から直接上昇する調理排気であり、流れが多い。同じく、排気流Ｋ３２及びＫ３３は、第３コンロ１３から直接上昇する調理排気であり、流れが多い。
排気流Ｋ２２及びＫ２３は、第１整流板１０１にぶつかり行き場を無くした排気流Ｋ２２及びＫ２３は、前後に分かれる。同様に排気流Ｋ３２及びＫ３３は、第２整流板１０２にぶつかり行き場を無くした排気流Ｋ３２及びＫ３３は前後に分かれる。第１整流板１０１及び第２整流板１０２にぶつかり中心方向に向かうのが排気流Ｋ２３及びＫ３２である。調理排気Ｐのうち中心Ｐ３に対しては、流れの多い排気流Ｋ２３及びＫ３２が集中する。そのため、中心Ｐ３には、調理排気が集中する。
なお、図１３には示さないが、例えば整流板にぶつかった場合には左右方向への排気流も発生する。
【００４２】
本実施形態においては、調理排気が集中する中心Ｐ３に対応する部分に第１整流板１０１及び第２整流板１０２に形成された隙間Ｘ７が形成され、隙間Ｘ７から調理排気が吸い込まれる。集中した調理排気Ｐの排気流Ｋ２３及びＫ３２を直接隙間Ｘ７により吸い込むことができるため排気捕集率を向上させることができる。また、送風機２１により隙間Ｘ７及び吸い込み口４０から直接調理排気Ｐは吸い込まれるため、排気流Ｋ２１、Ｋ２４、Ｋ３１、Ｋ３４の流れが多くなる。
なお、左右方向への排気流は直接吸い込み口４０へと吸い込まれる。
なお、整流板１００以外の部分についての詳細な説明を割愛したが、第１実施形態のレンジフードと同様の作用効果を有する。
また、コンロの前列に位置する第１コンロ１１及び第２コンロ１２と後列に位置する第３コンロ１３を使用した場合に、調理排気が前後方向でぶつかるため特に効果が得られる。
【００４３】
なお、本発明は、上記実施形態に限定されることなく、色々な応用が可能である。
例えば、本実施形態においては送風機２１をシロッコファンとしたが、その他の送風機であってもよい。すなわち、換気扇等の調理時に発生した煙、臭気等を外部に排気できるものであればよい。例えば、プロペラファンやターボファン等とすることができる。
【００４４】
例えば、整流板を４分割し、第１整流板乃至第４整流板を成形する。第１コンロと第２コンロを結ぶコンロ中心線と平行位置に第１整流板と第２整流板の隙間、及び第３整流板と第４整流板の隙間を形成する。また、コンロ中心線と直角位置に第１整流板と第３整流板の隙間、第２整流板と第４整流板の隙間を形成することもできる。それにより、排気流のうち前後方向及び左右方向にわかれた排気流を吸い込むことができる。
【符号の説明】
【００４５】
１    レンジフード
１１  第１コンロ
１２  第２コンロ
３    フード部
３４  開口凹部（請求項中の開口部）
４、６、７、８、９、１００    整流板
４１、６１、７１、８１、９１、１０１  第１整流板
４２、６２、７２、８２、９２、１０２  第２整流板
８３、９３  第３整流板
Ｘ１、Ｘ２、Ｘ３、Ｘ４、Ｘ５、Ｘ６、Ｘ７    隙間
【図１】
2012207876.tif 000003
【図２】
2012207876.tif 000004
【図３】
2012207876.tif 000005
【図４】
2012207876.tif 000006
【図５】
2012207876.tif 000007
【図６】
2012207876.tif 000008
【図７】
2012207876.tif 000009
【図８】
2012207876.tif 000010
【図９】
2012207876.tif 000011
【図１０】
2012207876.tif 000012
【図１１】
2012207876.tif 000013
【図１２】
2012207876.tif 000014
【図１３】
2012207876.tif 000015